(57)【要約】【課題】写実性に富み、リアル感に溢れ、重量感、質感も良好なものとし、また成形時におけるバリ等の発生も少なく、外部からの外力、衝撃等によっても凹むこともなく、保形性に優れ、取り扱いも容易であるようにする。【解決手段】底部に開口がある凹部２を備えた中実状の飾り果実本体１と、凹部２の開口を強制的に閉塞する有底筒状の蓋部材１０と、飾り果実本体１の頂部に突設形成した連繋突体５に被せる柄体２０とを備える。凹部２は、凹部２本体部分の内径に比しやや大径な段部状になっているストッパー部３を開口部に備え、凹部２の内周側面と蓋部材１０の外周側面との間で形成した凹凸の位置合わせ突条４、位置合わせ溝１１によって蓋部材１０を凹部２内に強制的に嵌め入れる。また連繋突体５と柄体２０とは、連繋突体５の外周側面と柄体２０の内周側面との間で凹凸の連繋溝６、連繋突部２４によって連繋突体５に柄体２０を被せて一体化する。【選択図】　　　図１
2004034535.tif 000002
【特許請求の範囲】
【請求項１】
底部に開口がある凹部を備えた中実状の飾り果実本体と、凹部の開口を強制的に閉塞する有底筒状の蓋部材と、飾り果実本体の頂部に突設形成した連繋突体に被せられる柄体とを備えて成る飾り用模擬果実。
【請求項２】
凹部は、凹部本体部分の内径に比しやや大径な段部状になっているストッパー部を開口部に備え、凹部の内周側面と蓋部材の外周側面との間で形成した凹凸の位置合わせ突条、位置合わせ溝によって蓋部材が強制的に嵌め入れられるものとしてある請求項１に記載の飾り用模擬果実。
【請求項３】
連繋突体と柄体とは、連繋突体の外周側面と柄体の内周側面との間で凹凸の連繋溝、連繋突部によって連繋突体に柄体を被せて一体化してある請求項１または２に記載の飾り用模擬果実。
【請求項４】
底部に開口がある凹部を備えた中実状の飾り果実本体を射出成形によって形成する一方、凹部内に嵌め入れられるよう射出成形によって形成した有底筒状の蓋部材を熱収縮前の飾り果実本体の凹部内に強制的に嵌め入れ、また、飾り果実本体の頂部に突設形成した連繋突体に柄体を被せることを特徴とした飾り用模擬果実の製造方法。
【請求項５】
蓋部材の凹部内への嵌め入れは、凹部の内周側面、蓋部材の外周側面夫々に形成した嵌め入れ方向に沿う凹凸の位置合わせ突条、位置合わせ溝によって位置合わせする請求項４に記載の飾り用模擬果実の製造方法。
【請求項６】
連繋突体に対する柄体の被せは、連繋突体の外周側面、柄体の内周側面夫々に形成した被せ方向にほぼ直交する凹凸の連繋溝、連繋突部によって噛み合わせる請求項４または５に記載の飾り用模擬果実の製造方法。
【発明の詳細な説明】
【０００１】
【発明の属する技術分野】
本発明は例えば正月、祝い事その他の祭事に際し飾り付けられるよう例えばお供え餅の上部に置かれる飾り用の蜜柑の如き飾り果実を模した飾り用模擬果実及びその製造方法に関するものである。
【０００２】
【従来の技術】
従来から正月や祝い事等に際し、飾り重ね餅が用いられており、その飾りには大小の円形状のお供え餅を２段に重ね、その上に蜜柑等の果実を飾りに置いている。その飾りのための果実代用品として例えば特許第３０１０２８６号に係る飾り果実が提案されており、これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔内への必要以上の挿入が規制され、あたかも実際の飾り果実様の趣を呈するようになるものである。
【０００３】
【発明が解決しようとする課題】
ただこの従来提案の飾り果実は、実際上はブロー成形によって果実本体を形成するために内部が中空で、軽量に形成されるから重量感がなく、見た目にも質感が乏しくなる。そればかりでなく、ブロー成形特有の金型の合わせ面で生じるいわゆるバリのために若干の不体裁な感じがあり、またそのバリが取り扱う者の手指等を傷つけることもあり、危険なものであった。しかも果実本体自体は中空であるために外部からの外力、衝撃等によっては部分的に凹むような潰れが生じることもあり、軽量であるが故にお供え餅等の上に置いた飾り時に簡単に落下してしまうこともあった。更には柄自体は果実本体の挿入孔に挿入するに際し、必要以上の挿入は挿入規制部によって阻止はされても、挿入後の柄の握持部を摘んで取り扱う場合に、柄を強く引いたときには果実本体から抜けることもあった。
【０００４】
そこで本発明は叙上のような従来存した諸事情に鑑み創出されたもので、写実性に富むようリアル感に溢れ、重量感、質感も良好なものとし、また成形時におけるバリ等の発生も少なく、外部からの外力、衝撃等によっても凹むこともなく、保形性に優れ、取り扱いも容易である飾り用模擬果実及びその製造方法を提供することを目的とする。
【０００５】
【課題を解決するための手段】
上述した目的を達成するため、本発明に係る飾り用模擬果実にあっては、底部に開口がある凹部２を備えた中実状の飾り果実本体１と、凹部２の開口を強制的に閉塞する有底筒状の蓋部材１０と、飾り果実本体１の頂部に突設形成した連繋突体５に被せられる柄体２０とを備えて成るものである。
凹部２は、凹部２本体部分の内径に比しやや大径な段部状になっているストッパー部３を開口部に備え、凹部２の内周側面と蓋部材１０の外周側面との間で形成した凹凸の位置合わせ突条４、位置合わせ溝１１によって蓋部材１０が強制的に嵌め入れられるものとしてあることができる。
連繋突体５と柄体２０とは、連繋突体５の外周側面と柄体２０の内周側面との間で凹凸の連繋溝６、連繋突部２４によって連繋突体５に柄体２０を被せて一体化してあるものとできる。
またその製造方法にあっては、底部に開口がある凹部２を備えた中実状の飾り果実本体１を射出成形によって形成する一方、凹部２内に嵌め入れられるよう射出成形によって形成した有底筒状の蓋部材１０を熱収縮前の飾り果実本体１の凹部２内に強制的に嵌め入れ、また、飾り果実本体１の頂部に突設形成した連繋突体５に柄体２０を被せるものである。
蓋部材１０の凹部２内への嵌め入れは、凹部２の内周側面、蓋部材１０の外周側面夫々に形成した嵌め入れ方向に沿う凹凸、例えば位置合わせ突条４、位置合わせ溝１１によって位置合わせすることができ、また連繋突体５に対する柄体２０の被せは、連繋突体５の外周側面、柄体２０の内周側面夫々に形成した被せ方向にほぼ直交する凹凸、例えば連繋溝６、連繋突部２４によって噛み合わせることができる。
【０００６】
以上のように構成された本発明に係る飾り用模擬果実及びその製造方法において、射出成形による中実状の飾り果実本体１の凹部２の開口に対する蓋部材１０による閉塞は、重量感、質感等に富む模擬果実を実現させ、飾り果実本体１の連繋突体５に対する柄体２０の被せで模擬果実の一層の写実性を増大させる。
蓋部材１０の凹部２内への嵌め入れは、凹部２の開口部が備えているストッパー部３に係止して必要以上の深い嵌め入れを阻止させ、蓋部材１０の外側面と飾り果実本体１の外側面とを滑らかに連続させる。また熱収縮前の飾り果実本体１に対する蓋部材１０の嵌め入れで、位置合わせ突条４、位置合わせ溝１１相互の凹凸の位置合わせと相俟ち飾り果実本体１に対して蓋部材１０をしっかりと固定させる。
飾り果実本体１の連繋突体５に対する柄体２０の被せで、飾り果実本体１の一層の写実性を増大させ、また連繋溝６、連繋突部２４相互の凹凸の噛み合いで飾り果実本体１に対して柄体２０をしっかりと連繋固定して一体化させ、柄体２０のみの摘み操作でも飾り果実本体１から分離させない。
【０００７】
【発明の実施の形態】
以下、図面を参照して本発明の実施の形態を説明するに、図に示される符号１は底部側が開口されている凹部２を備えることで射出成形によって形成される飾り果実本体であり、この飾り果実本体１は、実際上の例えば蜜柑表面における細かい凹凸模様が付されており、表面は蜜柑色を呈するように着色され、必要に応じて例えば頂部及びその近傍等が部分的に緑色が付されることもある。また成型時に生じ得る金型ラインのバリ等は切削等によって除去されている。
【０００８】
この飾り果実本体１における凹部２は例えば飾り果実本体１の外径に比し、小さくした例えば外径の約１／２程度の内径を有する開口を備え、その深さは例えば飾り果実本体１の高さの約３／４程度のものとされている。そして、この凹部２を除いた飾り果実本体１全体は形成素材の例えばポリエチレン樹脂の如き合成樹脂によって中実状に形成されていて、形成素材自体の重量によった質感も得られるものとしてある。また凹部２の開口部には、凹部２本体部分の内径に比しやや大径な段部状になっているストッパー部３を備えており、凹部２自体の内周側面には、例えば断面で弓形状の位置合わせ突条４を凹部２の開口から奥底部に至るまでの凹部２の深さ方向すなわち後述する蓋部材１０の嵌め入れ方向に沿って、凹部２の内方側に突設形成してある（図２、図３参照）。
【０００９】
また凹部２の開口部に嵌め入れられる蓋部材１０が飾り果実本体１とは別に飾り果実本体１と同効材にて形成されている。この蓋部材１０は凹部２の内径に比しやや大きくした外径を備えた筒状部に底部を一体状にした有底筒状に形成されている。そして底部分自体は筒状部に比しやや大径にしてストッパー部３に嵌め合わさせるようにしてあって、蓋部材１０自体を凹部２に嵌め入れたときには、飾り果実本体１の外周側面と蓋部材１０の外側面とは連続する一つの外周面を形成するように、底部分の高さはストッパー部３の高さとほぼ同程度のものとしてある。なお蓋部材１０における底部分の外周側面は、本発明に係る飾り用模擬果実自体が置かれる例えばお供え餅Ｒ上面の湾曲面に対応するように僅かに内方に窪ませて形成してある。
【００１０】
この蓋部材１０における筒状部には、凹部２における位置合わせ突条４に噛み合うようにした位置合わせ溝１１が凹設形成されており、飾り果実本体１の凹部２内にしっかりと嵌り込むようにしてある。すなわち成形直後で冷却されていない状態の熱収縮前の飾り果実本体１に対して、位置合わせ突条４と位置合わせ溝１１とを合致させて蓋部材１０を強制的にでも嵌め入れるようにすることで飾り果実本体１と蓋部材１０とを一体化するのであり、一体化後は飾り果実本体１の成形収縮と相俟ち両者は簡単には離反、解体されないものとなっている。
【００１１】
なお図示にあっては、飾り果実本体１の凹部２の内周側面に位置合わせ突条４を、蓋部材１０の外周側面に位置合わせ溝１１を形成してあるも、これらの凹凸嵌め合わせ構造を逆にするように、凹部２には凹溝となる位置合わせ溝１１を、蓋部材１０には突部となる位置合わせ突条４を形成することも可能である。
【００１２】
更に飾り果実本体１の頂部には、後述する柄体２０を連繋する小径柱状の連繋突体５を一体状に突設形成してあり、この連繋突体５には例えばその基部近傍位置でその外周面に沿って連繋溝６を凹設形成してある。なおこの連繋溝６自体は場合によっては螺旋状に形成されたり、柄体２０を連繋するときの方向を特定化するように穴状に形成されたりすることもある。
【００１３】
柄体２０は、連繋溝６に噛み合う連繋突部２４を内周側面に有して連繋突体５に被さるように有底筒状に形成されており、実際上の柄に相当する柄部２１の下部に同じく実際上の蔕に相当する扁平状あるいは山裾状に拡がる蔕部２２を、この蔕部２２とは離れた位置の柄部２１に実際上の葉に相当する葉部２３を夫々一体状に連設して成り、実際上の柄、葉、蔕等を模したように例えば緑色を呈する合成樹脂材にて一体に形成されている。すなわち蔕部２２、柄部２１に連続する空洞部分の内周側面に、この内周側面の周囲に沿って連繋突部２４を形成してあり、この柄体２０自体を連繋突体５に強制的に被せるようにすることで飾り果実本体１に対して柄体２０を一体状に組合せられるようにしてある。なお連繋突部２４自体は連繋溝６の形状・構造等に対応して変更されることは勿論のことであり、また場合によっては、連繋溝６を柄体２０の内周側面に、連繋突部２４を連繋突体５の外周側面に形成することも可能である。
【００１４】
次にこれの組立の一例を説明すると、射出成形によって形成された熱収縮前の飾り果実本体１の凹部２に、別に同様に射出成形された蓋部材１０をその筒状部によって、位置合わせ突条４、位置合わせ溝１１両者を位置合わせすることで嵌め込み、冷却固化する一方、飾り果実本体１の連繋突体５に柄体２０を被せ、連繋溝６、連繋突部２４によって噛み合わせて一体化するのである。
【００１５】
そしてその使用は図４に示すように、例えば２段重ねのお供え餅Ｒの頂部に置くのであり、飾り果実本体１の底面となる蓋部材１０における湾曲凹み部分を利用することでお供え餅Ｒ上から転がり落ちることなく、安定した状態で置いておくことが可能となる。
【００１６】
【発明の効果】
本発明は以上のように構成されているために、中実構造の飾り果実本体１に対する蓋部材１０による閉塞一体化で、写実性に富むようリアル感に溢れ、重量感、質感も良好なものとでき、また成形時におけるバリ等の発生も少なく、外部からの外力、衝撃等によっても凹むこともなく、保形性に優れ、飾り果実本体１に対する柄体２０の確実な固定によって取り扱いも容易である等の優れた効果を奏するのである。
【００１７】
すなわちこれは本発明の飾り用模擬果実において、中実状の飾り果実本体１に形成してある凹部２の開口を有底筒状の蓋部材１０によって強制的に閉塞し、飾り果実本体１の頂部に突設形成した連繋突体５に柄体２０を被せるものとしたからであり、更にその製造方法において、中実状の飾り果実本体１を射出成形によって形成する一方、熱収縮前の飾り果実本体１の凹部２内に射出成形による有底筒状の蓋部材１０を強制的に嵌め入れ、また、飾り果実本体１の頂部に突設形成した連繋突体５に柄体２０を被せるものとしたからであり、従来のブロー成形による中空状の果実本体の軽量印象に比し、重量感・質感等に富んだものとできると共に、破損しがたく、取り扱いの容易性等を得ることができる。
【００１８】
また凹部２の開口部は、凹部２本体部分の内径に比しやや大径な段部状になっているストッパー部３を備え、凹部２の内周側面と蓋部材１０の外周側面との間で形成した凹凸の位置合わせ突条４、位置合わせ溝１１によって蓋部材１０が凹部２内に強制的に嵌め入れられるものとしてあるから、位置合わせさせた状態で蓋部材１０はストッパー部３に係止して必要以上の深い嵌め入れが阻止され、蓋部材１０の外側面と飾り果実本体１の外側面とを滑らかに連続でき、体裁が良好なものとできる。しかも蓋部材１０の飾り果実本体１に対する嵌め入れは、飾り果実本体１が熱収縮する前に行われるから、素材自体の柔軟性と相俟ち容易に嵌め入れ作業ができるばかりでなく、嵌め入れ後ではしっかりと固定され、外部からの外力、衝撃その他によっても離反、解体されず、また蓋部材１０が筒状構造であることからも凹むこともないのである。
【００１９】
飾り果実本体１に突設形成した連繋突体５に柄体２０を被せるものとするとき、連繋突体５の外周側面と柄体２０の内周側面との間で凹凸の連繋溝６、連繋突部２４によって一体化するから、柄体２０を被せた後は、柄体２０のみを摘んでも容易に離反せず、取り扱いも簡単になるばかりでなく、模擬果実の一層の写実性に富むものとなり、例えばお供え餅Ｒの頂部に置いても何らの遜色もなく、実際の果実が置かれた印象を与えるものである。
【図面の簡単な説明】
【図１】本発明の実施の形態を示す分解斜視図である。
【図２】同じく組立時の縦断面図である。
【図３】同じく図２における矢視線に沿う横断面図である。
【図４】同じく使用状態の斜視図である。
【符号の説明】
Ｒ…お供え餅
１…飾り果実本体　　　　　　　　　　２…凹部
３…ストッパー部　　　　　　　　　　４…位置合わせ突条
５…連繋突体　　　　　　　　　　　　６…連繋溝
１０…蓋部材　　　　　　　　　　　　１１…位置合わせ溝
２０…柄体　　　　　　　　　　　　　２１…柄部
２２…蔕部　　　　　　　　　　　　　２３…葉部
２４…連繋突部
【図１】
2004034535.tif 000003
【図２】
2004034535.tif 000004
【図３】
2004034535.tif 000005
【図４】
2004034535.tif 000006